(57)【要約】【課題】本願は、基板を横へスライドさせずに連結可能で溶着も不要なコンタクト及びコネクタを開示する。【解決手段】本願で開示するコンタクトは、湾曲部分を有する導電性のバネと、バネを保持するハウジングの底部から隆起する湾曲部分の一部であり、底部を固定する基板に接触する第１接点部と、ハウジングの側部から隆起する湾曲部分の一部であり、基板の隣に配置される他の部材に接触する第２接点部と、を備える。【選択図】図５
2018037282.tif 000002
【特許請求の範囲】
【請求項１】
湾曲部分を有する導電性のバネと、
前記バネを保持するハウジングの底部から隆起する前記湾曲部分の一部であり、前記底部を固定する基板に接触する第１接点部と、
前記ハウジングの側部から隆起する前記湾曲部分の一部であり、前記基板の隣に配置される他の部材に接触する第２接点部と、を備える、
コンタクト。
【請求項２】
前記第１接点部は、前記底部に設けられた窓から隆起しており、
前記第２接点部は、前記側部に設けられた窓から隆起している、
請求項１に記載のコンタクト。
【請求項３】
湾曲部分を有する導電性のバネで形成される複数のコンタクトと、
前記各コンタクトを保持するハウジングと、を備え、
前記各コンタクトは、
前記ハウジングの底部から隆起する前記バネの湾曲部分の一部であり、前記底部を固定する基板に接触する第１接点部と、
前記ハウジングの側部から隆起する前記バネの湾曲部分の一部であり、前記基板の隣に配置される他の部材に接触する第２接点部と、を有する、
コネクタ。
【請求項４】
前記ハウジングは、
前記コンタクトの上部を前記底部側へ向かって支持する第１支持部と、
前記コンタクトの下部を前記側部側へ向かって支持する第２支持部と、を有する、
請求項３に記載のコネクタ。
【請求項５】
前記ハウジングは、前記第１接点部が隆起する窓を前記底部に有し、前記第２接点部が隆起する窓を前記側部に有する、
請求項３または４に記載のコネクタ。
【発明の詳細な説明】
【技術分野】
【０００１】
本願は、電子機器用のコンタクト及びコネクタに関する。
【背景技術】
【０００２】
電子機器には様々なコネクタが用いられている（例えば、特許文献１−２を参照）。
【先行技術文献】
【特許文献】
【０００３】
【特許文献１】特開２０１１−０１４２７１号公報
【特許文献２】特開２００１−０６８１８４号公報
【発明の概要】
【発明が解決しようとする課題】
【０００４】
電子機器の基板には、他の基板やケーブルの接続に用いる様々なコネクタが設けられる。コネクタは、通常、基板にはんだ付けされる。しかし、温度変化の激しい環境下では、基板の熱膨張率とコネクタの熱膨張率との相違により生ずる熱応力で、はんだ付け部分にストレスがかかる。そこで、例えば、フローティングコネクタのように位置ずれを吸収する可動機構を備えたコネクタを用いることで、熱応力によるストレスを緩和することも考えられるが、ストレスを十分に緩和できない場合がある。また、例えば、はんだの量を増やし、はんだによる溶着部分の面積を大きくすることで、熱応力によるストレスに対する耐力を上げることも考えられるが、ストレスが緩和されるわけではないため、クラック発生のリスクが残る。
【０００５】
また、複数の基板を連結したい場合、通常は連結方向に嵌合するコネクタを基板の縁に設けるが、このようなコネクタだと、嵌合のために基板をスライドさせるスペースを電子機器の筐体内に設けるか、或いは、電子機器の筐体に入れる前に基板を予め連結しておくことになる。基板をスライドさせるスペースを筐体内に設けることは電子機器の小型化を困難にし、また、基板を予め連結することは筐体内への組み付け作業を困難にする。
【０００６】
そこで、本願は、基板を横へスライドさせずに連結可能で溶着も不要なコンタクト及びコネクタを開示する。
【課題を解決するための手段】
【０００７】
本願で開示するコンタクトは、湾曲部分を有する導電性のバネと、バネを保持するハウジングの底部から隆起する湾曲部分の一部であり、底部を固定する基板に接触する第１接点部と、ハウジングの側部から隆起する湾曲部分の一部であり、基板の隣に配置される他の部材に接触する第２接点部と、を備える。
【０００８】
また、本願で開示するコネクタは、湾曲部分を有する導電性のバネで形成される複数のコンタクトと、各コンタクトを保持するハウジングと、を備え、各コンタクトは、ハウジングの底部から隆起するバネの湾曲部分の一部であり、底部を固定する基板に接触する第１接点部と、ハウジングの側部から隆起するバネの湾曲部分の一部であり、基板の隣に配置される他の部材に接触する第２接点部と、を有する。
【発明の効果】
【０００９】
上記のコンタクト及びコネクタであれば、基板を横へスライドさせずに連結可能で溶着も不要である。
【図面の簡単な説明】
【００１０】
【図１】図１は、コネクタの一例を示した図である。
【図２】図２は、固定端子アッセンブリの構造の一例を示した図である。
【図３】図３は、コンタクトアッセンブリの外観の一例を示した図である。
【図４】図４は、コンタクトアッセンブリの内部構造の一例を示した図である。
【図５】図５は、コンタクトの可動範囲の一例を示した図である。
【図６】図６は、コネクタ同士の接続方法の一例を示した図である。
【図７】図７は、コネクタ同士の固定方法の第１例を示した図である。
【図８】図８は、ネジの取付位置の一例を示した図である。
【図９】図９は、コネクタ同士の固定方法の第２例を示した図である。
【図１０】図１０は、ダボの取付位置の一例を示した図である。
【図１１】図１１は、コンタクトの第１変形例を示した図である。
【図１２】図１２は、コンタクトの第２変形例を示した図である。
【図１３】図１３は、ハウジングの変形例を示した図である。
【図１４】図１４は、変形例に係るハウジングの内部構造を示した図である。
【図１５】図１５は、電子機器の内部構造の一例を示した図である。
【図１６】図１６は、比較例に係るコネクタの一例を示した図である。
【図１７】図１７は、比較例に係るコネクタで連結された基板を電子機器の筐体に入れる様子の一例を示した図である。
【発明を実施するための形態】
【００１１】
以下、実施形態について説明する。以下に示す実施形態は、単なる例示であり、本開示の技術的範囲を以下の態様に限定するものではない。
【００１２】
図１は、コネクタの一例を示した図である。コネクタ１０は、基板に実装されるコネクタであり、基板と他の部材との電気的な接続に用いられる。コネクタ１０は、複数のコンタクトアッセンブリ２０の集合体であり、全体的に棒状の形態を呈する。また、コネクタ１０は、コンタクトアッセンブリ２０の集合体の中心部と両端部に連結された複数の固定端子アッセンブリ４０を備える。なお、コネクタ１０は、固定端子アッセンブリ４０を両端部の他に適宜の複数箇所に備えていてもよいし、固定端子アッセンブリ４０を両端部にのみ備えていてもよい。また、コネクタ１０に設けるコンタクトアッセンブリ２０の個数は、コネクタ１０で電気的に接続したい配線の本数に応じて適宜増減してもよい。コンタクトアッセンブリ２０と固定端子アッセンブリ４０は、互いに接着剤、嵌合ピン、長尺のネジ、熱溶着、その他の各種の接合方法によって連結される。
【００１３】
図２は、固定端子アッセンブリ４０の構造の一例を示した図である。固定端子アッセンブリ４０は、図２に示すように、コネクタ１０を基板１に固定するためのプレスフィット端子４１と、プレスフィット端子４１を保持するハウジング４６とを有する。プレスフィット端子４１は、基板１のスルーホール２に圧入すると嵌合する膨らみ４２を有する。また、ハウジング４６は、コネクタ１０を介して電気接続される他の部材と係合するための孔４３を有する。
【００１４】
図３は、コンタクトアッセンブリ２０の外観の一例を示した図である。また、図４は、コンタクトアッセンブリ２０の内部構造の一例を示した図である。コンタクトアッセンブリ２０は、直方体の外観を呈するハウジング２３と、湾曲部分を有するＳ字型の導電性のバネ２１で形成されるコンタクト２２とを有する。コネクタ１０が基板１に実装された際に基板１と対向する部分となるハウジング２３の底部２４には、窓２６Ｔが設けられている。また、コネクタ１０を介して基板１に電気接続される他の部材と対向する部分となるハウジング２３の側部２５には、窓２６Ｓが設けられている。そして、バネ２１の湾曲部
分が各窓２６Ｔ，２６Ｓから隆起している。窓２６Ｔから隆起しているバネ２１の湾曲部分は、基板１に接触する第１接点部２７を形成する。また、窓２６Ｓから隆起しているバネ２１の湾曲部分は、コネクタ１０を介して基板１に電気接続される他の部材に接触する第２接点部２８を形成する。
【００１５】
図５は、コンタクト２２の可動範囲の一例を示した図である。コンタクト２２は、ハウジング２３の内部に格納されている。コンタクト２２の上部は、ハウジング２３の底部２４側へ向かってコンタクト２２を支持する第１支持部２９に支持されている。また、コンタクト２２の下部は、ハウジング２３の側部２５側へ向かってコンタクト２２を支持する第２支持部３０に支持されている。よって、コンタクト２２は、ハウジング２３の内部で多少動くようになっているものの、第１接点部２７が基板１に接触すれば第１支持部２９による支持を受けて弾性力を発揮し、第１接点部２７を基板１側へ押圧する。また、コンタクト２２は、第２接点部２８が他の部材に接触すれば第２支持部３０による支持を受けて弾性力を発揮し、第２接点部２８を他の部材側へ押圧する。
【００１６】
コンタクト２２は、第１接点部２７が基板１に接触するだけで導通する構造になっており、はんだ付け等による溶着は不要である。よって、基板１が温度変化の激しい環境下に置かれる場合であっても、基板１の熱膨張率とコネクタ１０の熱膨張率とに相違があっても、熱膨張率の相違により第１接点部２７に熱応力が生ずることもない。
【００１７】
図６は、コネクタ１０同士の接続方法の一例を示した図である。コネクタ１０の第２接点部２８は、窓２６Ｓから隆起するバネ２１の湾曲部分なので、コネクタ１０を縁に固定した基板１同士を例えば基板１の板面に直角な方向沿いに相対移動させて接点同士を接続することができる。コネクタ１０の第２接点部２８はバネ２１の湾曲部分なので、相手側のコネクタ１０の第２接点部２８に接触した状態で摺動することができる。
【００１８】
図７は、コネクタ１０同士の固定方法の第１例を示した図である。コネクタ１０同士の固定方法としては、例えば、図７に示されるように、ネジ４４を使う方法が挙げられる。図８は、ネジ４４の取付位置の一例を示した図である。コネクタ１０同士の固定に使われるネジ４４は、例えば、図８に示すように、コネクタ１０の両端に備わる固定端子アッセンブリ４０の孔４３に螺合されるようにしてもよい。固定端子アッセンブリ４０は、基板１にプレスフィット端子４１で固定される箇所なので、コネクタ１０同士を固定するネジ４４が螺合されれば基板１同士も固定できる。
【００１９】
図９は、コネクタ１０同士の固定方法の第２例を示した図である。コネクタ１０同士の固定方法としては、例えば、図９に示されるように、ダボ４５を使う方法が挙げられる。図１０は、ダボ４５の取付位置の一例を示した図である。コネクタ１０同士の固定に使われるダボ４５は、例えば、図１０に示すように、コネクタ１０の両端に備わる固定端子アッセンブリ４０に嵌合されるようにしてもよい。固定端子アッセンブリ４０は、基板１にプレスフィット端子４１で固定される箇所なので、コネクタ１０同士を固定するダボ４５が嵌合されれば基板１同士も簡易的に固定できる。
【００２０】
なお、上記実施形態では、Ｓ字型のバネ２１で形成したコンタクト２２が例示されているが、コネクタ１０に用いるコンタクトは、Ｓ字型のバネ２１で形成したものに限定されない。図１１は、コンタクト２２の第１変形例を示した図である。コネクタ１０に用いるコンタクトとしては、例えば、図１１に示されるように、湾曲部分を有するＷ字型の導電性のバネ２１Ａで形成したコンタクト２２Ａが挙げられる。Ｗ字型のバネ２１Ａで形成されるコンタクト２２Ａもコンタクト２２と同様、窓２６Ｔから隆起しているバネ２１Ａの湾曲部分が、基板１に接触する第１接点部２７Ａを形成する。また、窓２６Ｓから隆起しているバネ２１Ａの湾曲部分が、コネクタ１０を介して基板１に電気接続される他の部材
に接触する第２接点部２８Ａを形成する。
【００２１】
そして、コンタクト２２Ａは、ハウジング２３の内部に格納された状態において、コンタクト２２Ａの上部が第１支持部２９に支持され、コンタクト２２Ａの下部が第２支持部３０に支持される。よって、コンタクト２２Ａは、第１接点部２７Ａが基板１に接触すれば第１支持部２９による支持を受けて弾性力を発揮し、第１接点部２７Ａを基板１側へ押圧する。また、コンタクト２２Ａは、第２接点部２８Ａが他の部材に接触すれば第２支持部３０による支持を受けて弾性力を発揮し、第２接点部２８Ａを他の部材側へ押圧する。
【００２２】
図１２は、コンタクト２２の第２変形例を示した図である。コネクタ１０に用いるコンタクトとしては、例えば、図１２に示されるように、湾曲部分を有するＣ字型の導電性のバネ２１Ｂで形成したコンタクト２２Ｂが挙げられる。Ｃ字型のバネ２１Ｂで形成されるコンタクト２２Ｂもコンタクト２２と同様、窓２６Ｔから隆起しているバネ２１Ｂの湾曲部分が、基板１に接触する第１接点部２７Ｂを形成する。また、窓２６Ｓから隆起しているバネ２１Ｂの湾曲部分が、コネクタ１０を介して基板１に電気接続される他の部材に接触する第２接点部２８Ｂを形成する。
【００２３】
そして、コンタクト２２Ｂは、ハウジング２３の内部に格納された状態において、コンタクト２２Ｂの上部が第１支持部２９に支持され、コンタクト２２Ｂの下部が第２支持部３０に支持される。よって、コンタクト２２Ｂは、第１接点部２７Ｂが基板１に接触すれば第１支持部２９による支持を受けて弾性力を発揮し、第１接点部２７Ｂを基板１側へ押圧する。また、コンタクト２２Ａは、第２接点部２８Ｂが他の部材に接触すれば第２支持部３０による支持を受けて弾性力を発揮し、第２接点部２８Ｂを他の部材側へ押圧する。
【００２４】
なお、上記実施形態では、直方体の外観を呈するハウジング２３が例示されているが、コンタクト２２を収容するハウジングは、直方体の外観を呈するものに限定されない。図１３は、ハウジング２３の変形例を示した図である。また、図１４は、変形例に係るハウジング２３Ａの内部構造を示した図である。コンタクト２２を収容するハウジングとしては、例えば、図１３に示されるように、単なる矩形のフレーム状の形態を呈するハウジング２３Ａであってもよい。
【００２５】
ハウジング２３Ａは、基板１と対向する部分となるハウジング２３Ａの底部２４Ａが開口しており、コンタクト２２の第１接点部２７が底部２４Ａから隆起する。また、ハウジング２３Ａは、コネクタ１０を介して基板１に電気接続される他の部材と対向する部分となるハウジング２３Ａの側部２５Ａが開口しており、コンタクト２２の第２接点部２８が側部２５Ａから隆起する。
【００２６】
なお、ハウジング２３Ａは、底部２４Ａと側部２５Ａが全面的に開口しているため、コンタクト２２の位置ずれを防ぐためのずれ防止ピン３１Ｕ，３１Ｂを備える。ずれ防止ピン３１Ｕは、Ｓ字型のバネ２１が上側部分に形成する略円形部分の中に挿通されるピンである。また、ずれ防止ピン３１Ｂは、Ｓ字型のバネ２１が下側部分に形成する略円形部分の中に挿通されるピンである。Ｓ字型のバネ２１が上側部分に形成する略円形部分にずれ防止ピン３１Ｕが挿通され、バネ２１が下側部分に形成する略円形部分にずれ防止ピン３１Ｂが挿通されることにより、コンタクト２２は、底部２４Ａや側部２５Ａが全面的に開口する単なるフレーム状のハウジング２３Ａの内部から脱落しないようになっている。
【００２７】
コンタクト２２は、このようなハウジング２３Ａに配置されていても、第１接点部２７を基板１側へ押圧し、第２接点部２８を他の部材側へ押圧する。
【００２８】
図１５は、電子機器の内部構造の一例を示した図である。電子機器３には、例えば、図
１５に示されるように、複数の基板１が連結された状態で固定されることがある。各基板１の電気的な接続部分に上記コネクタ１０を用いる場合、コネクタ１０は上述したように基板１同士を基板１の板面に直角な方向に相対移動させてコネクタ１０同士を接続することができるので、各基板１を電子機器３の筐体４内に一枚ずつ固定することができる。
【００２９】
図１６は、比較例に係るコネクタの一例を示した図である。また、図１７は、比較例に係るコネクタで連結された基板を電子機器の筐体に入れる様子の一例を示した図である。例えば、図１６に示されるように、嵌合方向が基板１の板面に平行な比較例のコネクタ１１０を用いる場合、各基板１同士を連結するには基板１の板面に平行な方向に相対移動させてコネクタ１１０同士を接続することになる。よって、例えば、図１６に示されるように、筐体４の中が狭い場合、各基板１同士をコネクタ１１０で予め連結した後に、図１７に示すように筐体４内に固定することになる。すなわち、基板１の筐体４内への組み付け作業が困難である。この点、上記のコネクタ１０を使えば、各基板１を電子機器３の筐体４内に一枚ずつ固定することができるため、基板１の筐体４内への組み付け作業が容易である。
【００３０】
なお、上記実施形態や変形例では、コンタクトの形状としてＳ字型、Ｗ字型、Ｃ字型のものを例示したが、本願で開示するコンタクトはその他の外観形状を呈するものであってもよい。また、上記実施形態や変形例では、基板１同士の連結を例示したが、本願で開示するコンタクトおよびコネクタは、基板とその他の電子部品との接続に用いてもよい。
【符号の説明】
【００３１】
１・・基板：２・・スルーホール：３・・電子機器：４・・筐体：１０，１１０・・コネクタ：２０・・コンタクトアッセンブリ：２１，２１Ａ，２１Ｂ・・バネ：２２，２２Ａ，２２Ｂ・・コンタクト：２３，２３Ａ，４６・・ハウジング：２４，２４Ａ・・底部：２５，２５Ａ・・側部：２６Ｔ，２６Ｓ・・窓：２７，２７Ａ，２７Ｂ・・第１接点部：２８，２８Ａ，２８Ｂ・・第２接点部：２９・・第１支持部：３０・・第２支持部：３１Ｕ，３１Ｂ・・ずれ防止ピン：４０・・固定端子アッセンブリ：４１・・プレスフィット端子：４２・・膨らみ：４３・・孔：４４・・ネジ：４５・・ダボ
【図１】
2018037282.tif 000003
【図２】
2018037282.tif 000004
【図３】
2018037282.tif 000005
【図４】
2018037282.tif 000006
【図５】
2018037282.tif 000007
【図６】
2018037282.tif 000008
【図７】
2018037282.tif 000009
【図８】
2018037282.tif 000010
【図９】
2018037282.tif 000011
【図１０】
2018037282.tif 000012
【図１１】
2018037282.tif 000013
【図１２】
2018037282.tif 000014
【図１３】
2018037282.tif 000015
【図１４】
2018037282.tif 000016
【図１５】
2018037282.tif 000017
【図１６】
2018037282.tif 000018
【図１７】
2018037282.tif 000019